(57)【要約】【課題】ヒール部のデザイン上の制約がなく、径の細い取替え用ヒール部であっても取付強度を維持でき、高さ方向のスペースを取らない構造簡単な着脱装置を備え、高さを段階的に変えることのできる履物、とくに婦人靴を提供する。【解決手段】履物本体部と、この履物本体部に対し着脱装置を介して着脱できる複数のヒール部とから成り、この着脱装置を前記履物本体部の踵支持プレートに取り付けた蟻型部と、この蟻型部を受け入れるために前記各ヒール部の上面に設けた蟻溝部と、この蟻溝部の底部に設けた収容溝内にその指掛け部を露出させて上下方向へ回動付勢されて取り付けられた上面部側に係止爪部を有する係止片と、前記蟻型部に設けられた前記係止片の係止爪部と係合する係合凹部とで構成したことで解決した。【選択図】図４
2017070535.tif 000002
【特許請求の範囲】
【請求項１】
履物本体部と、この履物本体部に対し着脱装置を介して着脱できる複数のヒール部とから成り、この着脱装置を前記履物本体部の踵支持プレートに取り付けた蟻型部と、この蟻型部を受け入れるために前記各ヒール部の上面に設けた蟻溝部と、この蟻溝部の底部に設けた収容溝内にその指掛け部を露出させて上下方向へ回動付勢されて取り付けられた上面部側に係止爪部を有する係止片と、前記蟻型部に設けられた前記係止片の係止爪部と係合する係合凹部とで構成したことを特徴とする、ヒール部の高さを変えることのできる履物。
【請求項２】
履物本体部と、ヒール部とから成り、このヒール部を履物本体部に固着させたヒール本体部と、このヒール本体部に対し取り換え可能に取り付けられるところの高さの異なる複数の取替え用ヒール部とで構成すると共に、前記各取替え用ヒール部を前記ヒール本体部へ着脱可能に取り付ける着脱装置を設け、この着脱装置を前記各取替え用ヒール部の上面に設けた蟻溝部と、この蟻溝部の底部に設けた収容溝内にその指掛け部を露出させて上下方向へ回動付勢されて取り付けられた上面部側に係止爪部を有する係止片と、前記ヒール本体部の下面部側に前記蟻溝部と係合してスライド可能に設けられた蟻型部と、この蟻型部に設けた前記係止片の係止爪部と係合する係合凹部とで構成したことを特徴とする、ヒール部の高さを変えることのできる履物。
【請求項３】
履物本体部と、ヒール部とから成り、このヒール部を履物本体部に固着させたヒール本体部と、このヒール本体部に対し取り換え可能に取り付けられるところの高さの異なる複数の取替え用ヒール部とで構成すると共に、前記各取替え用ヒール部を前記ヒール本体部へ着脱可能に取り付ける着脱装置を設け、この着脱装置を前記各取替え用ヒール部の上面に設けた蟻型部と、この蟻型部の上部に設けた収容溝内にその指掛け部を露出させて上下方向へ回動付勢されて取り付けられた上面部側に係止爪部を有する係止片と、前記ヒール本体部の下面部側に設けられた前記蟻型部をスライド可能に受け入れる蟻溝部と、この蟻溝部に設けた前記係止片の係止爪部と係合する係合凹部とで構成したことを特徴とする、ヒール部の高さを変えることのできる履物。
【請求項４】
前記履物が婦人靴であることを特徴とする、請求項１〜３のいずれか１項に記載のヒール部の高さを変えることのできる履物。
【請求項５】
前記婦人靴がパンプス、サンダル、ブーツであることを特徴とする、請求項４に記載のヒール部の高さを変えることのできる履物。
【発明の詳細な説明】
【技術分野】
【０００１】
本発明は、ヒール部の高さを複数段に渡って変えることのできる履物、とくに婦人靴に関する。
【背景技術】
【０００２】
従来、履物のうち、とくに婦人靴の種類は多種多様である。その中でもヒール部を有するものは、そのヒールの高さによって、ハイヒール、ロウヒール、ミドルヒールに分類され、その中でも、パンプス、サンダル、ブーツと云った種類にさらに分類される。或はヒールの太さによりピンヒール、或はチャンキーヒールと言ったりする。女性はその中でヒール部の高さの異なるものやヒール部の太さの異なるものを購入しておき、その中からその時の状況に応じたヒール部の形状や高さや太さの異なるものを選んで履くようにしている。
【０００３】
しかしこれでは、たくさんのヒール部の高さや太さの異なる婦人靴を用意しておかなくてはならず、そのために必要となる靴の購入費だけでもばかにならない上に、気に入ったデザインの婦人靴においては、そのためにいちいち高さの異なる同一デザインの婦人靴を購入しなくてはならず、さらに靴の購入費が嵩むことになる。
【０００４】
そこで、従来から特許文献１に示したように、ヒール部の高さを変えることのできる婦人靴が公知である。この特許文献１に記載のヒール部の高さを変えることのできる婦人靴は、靴本体部とヒール部から成るが、ヒール部がヒール本体部と取替え用ヒール部とから成り、この取替え用ヒール部とヒール本体部との間に着脱装置が設けられている。この着脱装置は、取替え用ヒール部の上端部から上方へ突設させた挿入突出部に隣接して設けられ、弾性を付与された状態で前後方向へ搖動可能に設けられた先端に爪部を有する係止部材から成る装着部と、前記ヒール本体部の上下方向に前記装着部を挿入させるために設けられたガイド孔部と、ヒール本体部の前方位置から前後方向に前記ガイド孔部と直交状態で設けられ前記係止部材を係止する係止孔と、この係止孔内に一方向へスライド付勢されて設けられたところの係止部材による前記装着孔の係止状態を解除する解除部材とで構成されている。
【０００５】
この特許文献１に記載されたハイヒール靴の着脱装置は、構造が複雑である上に、ヒール本体部側の上下方向へ取替え用ヒール部の装着部を挿入させるガイド孔部を設けるため、その強度維持を図るためには、ヒール本体部がある程度の高さを必要とすることから、デザイン上の制約があり、とくにヒール部の径が細いタイプのものは、十分な強度を維持するのが困難であるといった問題があったり、使用中に折れてしまうといった問題があった。
【先行技術文献】
【特許文献】
【０００６】
【特許文献１】特開平１０-２１５９１４号公報
【発明の概要】
【発明が解決しようとする課題】
【０００７】
そこで本発明の目的は、ヒール部のデザイン上の制約がなく、径の細い取替え用ヒール部であっても取付強度を維持でき、高さ方向のスペースを取らない構造簡単な着脱装置を備え、高さを段階的に変えることのできる履物、とくに婦人靴を提供せんとするにある。
【課題を解決するための手段】
【０００８】
上記した目的を達成するために、請求項１の発明は、履物本体部と、この履物本体部に対し着脱装置を介して着脱できる複数のヒール部とから成り、この着脱装置を前記履物本体部の踵支持プレートに取り付けた蟻型部と、この蟻型部を受け入れるために前記各ヒール部の上面に設けた蟻溝部と、この蟻溝部の底部に設けた収容溝内にその指掛け部を露出させて上下方向へ回動付勢されて取り付けられた上面部側に係止爪部を有する係止片と、前記蟻型部に設けられた前記係止片の係止爪部と係合する係合凹部とで構成したことを特徴とする。
【０００９】
また、請求項２の発明は、履物本体部と、ヒール部とから成り、このヒール部を履物本体部に固着させたヒール本体部と、このヒール本体部に対し取り換え可能に取り付けられるところの高さの異なる複数の取替え用ヒール部とで構成すると共に、前記各取替え用ヒール部を前記ヒール本体部へ着脱可能に取り付ける着脱装置を設け、この着脱装置を前記各取替え用ヒール部の上面に設けた蟻溝部と、この蟻溝部の底部に設けた収容溝内にその指掛け部を露出させて上下方向へ回動付勢されて取り付けられた上面部側に係止爪部を有する係止片と、前記ヒール本体部の下面部側に前記蟻溝部と係合してスライド可能に設けられた蟻型部と、この蟻型部に設けた前記係止片の係止爪部と係合する係合凹部とで構成したことを特徴とする。
【００１０】
さらに、請求項３の発明は、履物本体部と、ヒール部とから成り、このヒール部を履物本体部に固着させたヒール本体部と、このヒール本体部に対し取り換え可能に取り付けられるところの高さの異なる複数の取替え用ヒール部とで構成すると共に、前記各取替え用ヒール部を前記ヒール本体部へ着脱可能に取り付ける着脱装置を設け、この着脱装置を前記各取替え用ヒール部の上面に設けた蟻型部と、この蟻型部の上部に設けた収容溝内にその指掛け部を露出させて上下方向へ回動付勢されて取り付けられた上面部側に係止爪部を有する係止片と、前記ヒール本体部の下面部側に設けられた前記蟻型部をスライド可能に受け入れる蟻溝部と、この蟻溝部に設けた前記係止片の係止爪部と係合する係合凹部とで構成したことを特徴とする。
【００１１】
さらに請求項４に係る発明は、履物を婦人靴とすることを特徴とする。
そして、請求項５に係る発明は、婦人靴を、パンプス、サンダル、ブーツなどのヒール部のあるものとすることを特徴とする。
【発明の効果】
【００１２】
本発明は以上のように構成したので、請求項１に係る発明によれば、着脱装置の構成が蟻型部と蟻溝部というように簡単となり、その高さ方向に占める割合が小さいことから、ヒール部に対するデザイン上の自由度が向上するものである。
【００１３】
また、請求項２と３に係る発明によれば、ヒール部をヒール本体部と取替え用ヒール部とに分離したことから、ヒール本体部に設ける蟻型部の設置状態が安定するうえに、着脱装置の構成が簡単となり、さらに取替え用ヒール部とヒール本体部との間の着脱係合が、蟻溝部と蟻型部によってなされるため、構造が簡単となり、その高さ方向に占める割合が小さくなったことから取替え用ヒール部に対するデザインの自由度が向上するものである。
【図面の簡単な説明】
【００１４】
【図１】本発明を実施した履物の１種であるミドルヒール或はチャンキーヒールと呼ばれる婦人靴の側面図である。
【図２】図１のヒール部の部分の側面断面図である。
【図３】図２の Ａ−Ａ線断面図である。
【図４】図１に示した婦人靴のヒール部の部分の拡大分解斜視図である。
【図５】本発明に係る婦人靴の取替え用ヒール部のヒール本体部に対する装着手順を示す説明図である。
【図６】本発明に係る着脱装置のさらに他の実施例を示す分解斜視図である。
【図７】本発明に係る着脱装置のさらに他の実施例を示す分解斜視図である。
【図８】婦人靴のヒール部の他の実施例を示す側面図である。
【発明を実施するための形態】
【００１５】
以下に本発明に係る高さを変えることのできる履物の好適な実施例を図面に基づいて説明する。以下の実施例では、履物の一例としてミドルヒール或はチャンキーヒールと呼ばれる婦人靴を例にとって説明するが、図示したもの以外の、パンプスと呼ばれるハイヒール、ロウヒール等の婦人靴、踵部を有するサンダル、ブーツ等にもそのまま適用できるものである。また、着脱装置が上下方向にスペースを取らない構成であることから、ヒール部を有する男性用の革靴或はブーツについても応用することができるものである。
【実施例１】
【００１６】
図面によれば、図１乃至図５において、指示記号１で示されたものは、履物の１例としての女性用のミドルヒール或はチャンキーヒールと呼ばれる婦人靴であり、この婦人靴１は、靴本体部である履物本体部２と、この履物本体部２に固着された、ヒール部３Ａとから成る。このヒール部３Ａは、好適には合成樹脂製であり、履物本体部２のその内部構造を概略的に示した図２にあるように、中敷２ａの下側に設けた踵支持プレート２ｂに着脱装置４を介して着脱可能に取り付けられる構成である。実施例では、ヒール部３Ａは、図１と図８に示されているように、高、中、低の３種類を実施例として挙げてあるが、このものに限定されない。それぞれ図１に示したものがミドルヒール用のヒール部３Ａであり、図８に示したものが、（ａ）のロウヒール用のヒール部３Ｂと、（ｂ）のハイヒール用の取替え用ヒール部３Ｃである。尚、図示した履物の１例としての婦人靴１の内部構造は、これを概略的に示したものであり、その内部構造を限定するものではない。
【００１７】
着脱装置４は、とくに図２〜図４に示したように、踵支持プレート２ｂに複数の取付用ピン５、５・・・を介して固着された蟻型部６と、この蟻型部６と係合させるためにヒール部３Ａの上面に設けた蟻溝部７と、この蟻溝部７の底部長手方向に設けた収容溝８内に、その一端部側両側部に設けた取付片１１b、１１bを軸支する支持ピン１０を介して上下方向へ回動付勢されて取り付けたところの上面部側に係止爪部１１ａを有する係止片１１と、この係止片１１を常に上方(図中、時計方向)へ回動付勢するために支持ピン１０に環巻きさせて設けた例えばトーションスプリングから成る弾性部材１２と、前記蟻型部６に設けた前記係止片１１の係止爪部１１ａと係合する係合凹部６ａとで構成されている。尚、図示した取付用ピン５、５、…は１例であって、図示したものの数及び構成に限定されない。それは釘状のものであってもよく、また、ビスとナットの組み合わせであってもよい。
【００１８】
前記蟻溝部７は、ヒール部３Ａの後端部側まで達していず、その途中で止められている。このことにより、ヒール部３Ａの後部側からは、蟻型部６や蟻溝部７の係合状態は見えないように工夫されている。尚、着脱装置４の構成は、上記した他の実施例のヒール部３Ｂ、３Ｃについても共通である。
【００１９】
蟻型部６にはその一端部に凹み部６ｂが設けられており、係止片１１の指掛け部１１ｃに指を掛け下側へ押し込む際に、操作し易いように工夫されている。係止片１１を蟻溝部７に設けた収容溝８内に上下方向へ回動可能に取り付ける支持ピン１０は、ヒール部３Ａの側部を貫通させて設けてもよいが、実施例では図４に示したように、蟻溝部７の底部から下方へガイド溝７ａ、７ａを設けその下端部で支持ピン１０の両端部を保持するように構成してある。好適にはその下端部近くにくびれ部７ｂ、７ｂ（一方のみ表示）を設けて支持ピン１０を圧入させることにより当該支持ピン１０が上方へ抜け出ないように工夫することもできる。
【００２０】
次に、上記した着脱装置４を用いてヒール部３Ａを履物本体部２へ着脱させる手順について説明する。図５（ａ）〜（ｃ）に示したように、片方の手で履物本体部２を持ち、もう一方の手でヒール部３Ａを持って、蟻溝部７に蟻型部６を当てがってヒール部３Ａを押し込むと、蟻型部６は蟻溝部７内を、係止片１１を押し下げながらスライドしてその先端が蟻溝部７の終端部７ｃに達し、停止して両者は係合状態となり、ヒール部３Ａは蟻型部６に装着されることになる。同時に係止片１１の係止爪部１１ａが係合凹部６ａの位置に来るので、係止片１１は弾性部材１２の弾力により元位置へ戻り、係止爪部１１ａが係合凹部６ａと係合することから、蟻型部６がその位置で蟻溝部７に固定され、履物本体部２とヒール部３Ａは、上下左右方向へ抜け出ることなくしっかりと固着されることになる。
【００２１】
使用者が他の高さの異なるヒール部３Ｂ或は３Ｃと交換したい場合には、蟻型部６に設けた凹み部６ｂに指を入れ、係止片１１の指掛け部１１ｃを下押しすると、係止片１１が支持ピン１０を支点に反時計方向へ回転する結果、係止爪部１１ａと係合凹部６ａとの間の係合が外れるので、最初は係止片１１の指掛け部１１ｃを押し込んだ状態で、蟻型部６を蟻溝部７から抜き出す方向へスライドさせると、履物本体部２に対しヒール部３Ａ側が取り外されることになるので、次のヒール部３Ｂ或は３Ｃを上記したような手順で履物本体部２へ装着させることにより、ヒール部３Ａの交換が容易にできることになるものである。
【実施例２】
【００２２】
図６は、着脱装置の他の実施例を示す。この実施例２に係る履物の１例である婦人靴のヒール部２０は、図示してない婦人靴の踵支持プレートへ取り付けられる上部側のヒール本体部２１と、このヒール本体部２１に着脱装置２２を介して着脱可能に取り付けられるそれぞれ高さの異なる取替え用ヒール部２３とで構成されている。
【００２３】
着脱装置２２は、取替え用ヒール部２３の上面に設けた蟻溝部２５と、この蟻溝部２５の底部長手方向に設けた収容溝２６内に、その指掛け部２７ａを前方へ突出させて取付片２７ｂ、２７ｂ（一方のみ表示）を支持ピン２８を介して上下方向へ揺動付勢されて取り付けられた上面部側に係止爪部２７ｃを有する係止片２７と、この係止片２７を常に上方へ回動付勢するために支持ピン２８に環巻きさせて設けた例えばトーションスプリングから成る弾性部材２９と、前記ヒール本体部２１の下面側に前記蟻溝部２５と係合してスライド可能に設けられた蟻型部３０と、この蟻型部３０に設けた前記係止片２７の係止爪部２７ｃと係合する係合凹部３０ａとで構成されている。
【００２４】
前記蟻溝部２５は、取替え用ヒール部２３の後端部側まで達していず、その途中で止められている。また、蟻型部３０もヒール本体部２１の前後方向の後端部まで設けられていず、途中で止められている。このことにより、ヒール部２０の後部側からは、蟻溝部２５や蟻型部３０の係合状態は見えないようになっている。
【００２５】
ヒール本体部２１の前側で蟻型部３０を設けた側には凹み部３０ｂが設けられており、係止片２７を下方へ押し込む際に操作し易いように工夫されている。係止片２７を蟻溝部２５に設けた収容溝２６内に上下方向へ回動可能に取り付ける支持ピン２８は、取替え用ヒール部２３の側部を貫通させて設けてもよいが、実施例では蟻溝部２５の底部から下方へガイド溝２５ａ、２５ａを設け、その下端部で支持ピン２８を保持するように構成してある。好適にはその間端部近くにくびれ部２５ｂ、２５ｂ（一方のみ表示）を設けて支持ピン２８を圧入させることにより、該支持ピン２８が上方へ抜け出ないように工夫することもできる。そして、その取替え用ヒール部２３をヒール本体部２１に対し着脱させる手順は、実施例１と同じである。
【実施例３】
【００２６】
図７は、本発明に係る着脱装置のさらに他の実施例を示す。図面によれば、この実施例３に係る履物の１例である婦人靴のヒール部４０は、図示してない婦人靴の踵支持プレートへ取り付けられる上部側のヒール本体部４１と、このヒール本体部４１に着脱装置４２を介して着脱可能に取り付けられるそれぞれ高さの異なる取替え用ヒール部４３とで構成されている点は、実施例２と同じである。異なる点は、蟻溝部４４と蟻型部４５を実施例２のものとは逆に設けたものである。即ち、蟻溝部４４はヒール本体部４１側に設けられ、蟻型部４５が取替え用ヒール部４３の側に設けられている。
【００２７】
そして、係止爪部４６ａと指掛け部４６ｂと取付片４６ｃ、４６ｃ（一方のみ表示）を有する係止片４６は、蟻型部４５に設けた収容溝４７内に設けられ、係合凹部４４ａと凹み部４４ｂは蟻溝部４４の方に設けられている。さらに支持ピン４８は、収容溝４７に設けたガイド溝４７ａ、４７ａに挿入固定されているが、この実施例の場合、支持ピン４８は蟻型部４５の両側に設けた図示してない取付孔に挿入して取り付けることが可能であり、弾性部材４９がこの支持ピン４８に環巻きされて係止片４６を一方向へ回転付勢させる点は実施例１及び２と同じである。そして、取替え用ヒール部４３のヒール本体部４１に対する着脱手順も実施例１或は実施例２と同じである。このように実施しても本発明の目的は達成できる。
【産業上の利用可能性】
【００２８】
本発明は以上のように構成したので、一足分の履物本体部と、高さの異なる複数のヒール部や取替え用ヒール部を用意することで、同じデザインの履物本体部を高さの異なる履物として使用することができる経済性の高い履物として好適に用いられるものである。
【００２９】
尚、本発明は前記実施例に限定されるものではなく、前記以外の履物の種類、ヒール部の形状構造のものに設計変更することが可能であり、本発明は、上記の説明から当業者が容易に想到し得るすべての変更実施例を包摂するものである。
【符号の説明】
【００３０】
１  婦人靴（履物）
２  履物本体部
２ｂ  踵支持プレート
３Ａ、３Ｂ、３Ｃ  ヒール部
４、２２、４２  着脱装置
６、３０、４５  蟻型部
６ａ、３０ａ、４４ａ  係合凹部
６ｂ、３０ｂ、４４ｂ  凹み部
７、２５、４４  蟻溝部
８、２６、４７  収容溝
１０、２８、４８  支持ピン
１１  係止片
１１ａ、２７ｃ、４６ａ  係止爪部
１１ｃ、２７ａ、４６ｂ  指掛け部
１２、２９、４９  弾性部材
２０、４０  ヒール部
２１、４１  ヒール本体部
２３、４３  取替え用ヒール部
２７、４６  係止片
【図１】
2017070535.tif 000003
【図２】
2017070535.tif 000004
【図３】
2017070535.tif 000005
【図４】
2017070535.tif 000006
【図５】
2017070535.tif 000007
【図６】
2017070535.tif 000008
【図７】
2017070535.tif 000009
【図８】
2017070535.tif 000010